(57)【要約】【課題】省電力化を図ることのできる空気調和機を提供する。【解決手段】居室内の壁面に取り付けられる筐体２と、筐体２の少なくとも前面に開口する吸込口３ａと、筐体２の下部に開口する吹出口４と、吸込口３ａと吹出口４とを連通させる送風通路１０と、送風通路１０内に配される送風機１１と、筐体２の前面を開閉可能に配される前面パネル５と、前面パネル５を開閉駆動する駆動部２３とを備えた空気調和機１において、居室内に存在する人が非就寝の第１状態に対して、居室内に存在する人が就寝または居室内に人が不在の第２状態の時に前面パネル５の開度を大きくした。【選択図】図６
2018179417.tif 000002
【特許請求の範囲】
【請求項１】
居室内の壁面に取り付けられる筐体と、前記筐体の少なくとも前面に開口する吸込口と、前記筐体の下部に開口する吹出口と、前記吸込口と前記吹出口とを連通させる送風通路と、前記送風通路内に配される送風機と、前記筐体の前面を開閉可能に配される前面パネルと、前記前面パネルを開閉駆動する駆動部とを備えた空気調和機において、前記居室内に存在する人が非就寝の第１状態に対して、前記居室内に存在する人が就寝または前記居室内に人が不在の第２状態の時に前記前面パネルの開度を大きくしたことを特徴とする空気調和機。
【請求項２】
前記第１状態の時に前記前面パネルを所定の開度で開くことを特徴とする請求項１に記載の空気調和機。
【請求項３】
前記吸込口が前記筐体の前面に開口する前面部と、上面に開口する上面部とを有し、前記第１状態の時に前記前面パネルを閉じることを特徴とする請求項１に記載の空気調和機。
【請求項４】
前記第２状態を検知した際に所定の開度で前記前面パネルを開き、所定時間経過後に前記前面パネルの開度を大きくしたことを特徴とする請求項２または請求項３に記載の空気調和機。
【請求項５】
運転停止時を設定する切タイマーと、前記居室内の照度を検知する照度センサとを備え、前記切タイマーの動作中に前記居室内の照度が所定値よりも低くなった際に、前記居室内の人の就寝時と判断することを特徴とする請求項１〜請求項４のいずれかに記載の空気調和機。
【請求項６】
予め登録される携帯端末と通信を行う通信部を備え、前記携帯端末の位置情報に基づいて前記居室内の人の不在を検知することを特徴とする請求項１〜請求項４のいずれかに記載の空気調和機。
【請求項７】
家屋内の電気使用量を検知する電力検知装置と通信を行う通信部を備え、家屋内の電気使用量が所定値よりも低くなった際に、前記居室内の人の就寝時または不在時と判断することを特徴とする請求項１〜請求項４のいずれかに記載の空気調和機。
【発明の詳細な説明】
【技術分野】
【０００１】
本発明は筐体の前面に可動の前面パネルを設けた空気調和機に関する。
【背景技術】
【０００２】
筐体の前面に前面パネルを設けた従来の空気調和機は特許文献１に開示される。この空気調和機は室内の壁面に取り付けられる筐体の上面に吸込口が開口し、前面下部に吹出口が開口する。筐体内には吸込口と吹出口とを連結する送風通路が設けられ、送風通路内に熱交換器及び送風機が配される。
【０００３】
筐体の前面には吹出口よりも上方に開口部が設けられ、リンク機構を介して筐体に連結される前面パネルが筐体の前面を手動により開閉可能に配される。また、開口部及び吸込口に面してフィルタが配される。
【０００４】
空気調和機の運転休止時には前面パネルが閉じられる。空気調和機の運転が開始されると前面パネルを閉じた状態で送風機が駆動される。これにより、筐体の上面の吸込口から送風通路に流入した空気が熱交換器と熱交換して吹出口から吹き出され、室内の空気調和が行われる。空気調和機の運転休止時及び運転時に前面パネルが閉じられるため筐体の内部が前面パネルにより隠れ、デザイン性の低下が防止される。
【０００５】
また、前面パネルが開かれると開口部よりも下方に配され、開口部の略全面が開放される。これにより、開口部を介してフィルタを容易に清掃することができる。
【先行技術文献】
【特許文献】
【０００６】
【特許文献１】特許第４３４７３４９号公報（第４頁〜第１３頁、第２図）
【発明の概要】
【発明が解決しようとする課題】
【０００７】
しかしながら、上記従来の空気調和機によると、デザイン性を重視して運転休止時及び運転時に前面パネルが閉じられる。このため、運転時の吸込気流の吸込面積が小さく、空気調和機の送風効率が低いため電力消費が大きい問題があった。
【０００８】
本発明は、省電力化を図ることのできる空気調和機を提供することを目的とする。
【課題を解決するための手段】
【０００９】
上記目的を達成するために本発明は、居室内の壁面に取り付けられる筐体と、前記筐体の少なくとも前面に開口する吸込口と、前記筐体の下部に開口する吹出口と、前記吸込口と前記吹出口とを連通させる送風通路と、前記送風通路内に配される送風機と、前記筐体の前面を開閉可能に配される前面パネルと、前記前面パネルを開閉駆動する駆動部とを備えた空気調和機において、前記居室内に存在する人が非就寝の第１状態に対して、前記居室内に存在する人が就寝または前記居室内に人が不在の第２状態の時に前記前面パネルの開度を大きくしたことを特徴としている。
【００１０】
また本発明は、上記構成の空気調和機において、前記第１状態の時に前記前面パネルを所定の開度で開くことを特徴としている。
【００１１】
また本発明は、上記構成の空気調和機において、前記吸込口が前記筐体の前面に開口する前面部と、上面に開口する上面部とを有し、前記第１状態の時に前記前面パネルを閉じることを特徴としている。
【００１２】
また本発明は、上記構成の空気調和機において、前記第２状態を検知した際に所定の開度で前記前面パネルを開き、所定時間経過後に前記前面パネルの開度を大きくしたことを特徴としている。
【００１３】
また本発明は、上記構成の空気調和機において、前記吸込口に面したフィルタを備え、前記前面パネルが下端部及び上端部前記筐体に回動可能に支持され、前記駆動部の駆動により下端部を支点に回動するとともに、手動により上端部を支点に回動することを特徴としている。
【００１４】
また本発明は、上記構成の空気調和機において、前記前面パネルが上端部を支点に回動可能に配され、前記前面パネルの回動により前記前面部を開閉することを特徴としている。
【００１５】
また本発明は、上記構成の空気調和機において、前記前面パネルが前記前面部に面した開口部と、前記開口部を塞ぐ位置と開放する位置との間を可動の可動板とを有し、前記可動板の移動により前記前面パネルの開度が可変されることを特徴としている。
【００１６】
また本発明は、上記構成の空気調和機において、前記前面パネルが複数の前記開口部及び前記可動板を有し、前記可動板の一端が前記開口部の側壁に軸支されるとともに、前記可動板の他端を軸支して各前記可動板を連結する連結部材を設けたことを特徴としている。
【００１７】
また本発明は、上記構成の空気調和機において、前記可動板が前記筐体の前面に沿ってスライドすることを特徴としている。
【００１８】
また本発明は、上記構成の空気調和機において、運転停止時を設定する切タイマーと、前記居室内の照度を検知する照度センサとを備え、前記切タイマーの動作中に前記居室内の照度が所定値よりも低くなった際に、前記居室内の人の就寝時と判断することを特徴としている。
【００１９】
また本発明は、上記構成の空気調和機において、予め登録される携帯端末と通信を行う通信部を備え、前記携帯端末の位置情報に基づいて前記居室内の人の不在を検知することを特徴としている。
【００２０】
また本発明は、上記構成の空気調和機において、家屋内の電気使用量を検知する電力検知装置と通信を行う通信部を備え、家屋内の電気使用量が所定値よりも低くなった際に、前記居室内の人の就寝時または不在時と判断することを特徴としている。
【００２１】
また本発明は、上記構成の空気調和機において、予め登録される携帯端末と通信を行う通信部を備え、前記通信部を介して前記携帯端末により運転開始を指示できるとともに、前記携帯端末により所定の運転の開始が指示された際に前記居室内の人の不在時と判断することを特徴としている。
【００２２】
また本発明は、上記構成の空気調和機において、冷房運転時に時間経過に伴って室内温度を上昇させる就寝モードを備え、前記就寝モードが選択された際に前記居室内の人の就寝時と判断することを特徴としている。
【００２３】
また本発明は、上記構成の空気調和機において、前記居室内の人の有無を検知する人体センサを備えたことを特徴としている。
【発明の効果】
【００２４】
本発明によると、居室内の人が非就寝の第１状態に対して就寝または不在の第２状態時に駆動部の駆動により前面パネルの開度を大きくする。これにより、使用者により目視されない第２状態で前面パネルの開度を大きくして空気調和機の吸込面積を大きくし、送風機の回転数を低くしても所望の風量が得られる。従って、空気調和機の省電力化を図ることができる。また、使用者に目視される第１状態で前面パネルの開度を小さくして空気調和機の美観低下を防止することができる。
【図面の簡単な説明】
【００２５】
【図１】本発明の第１実施形態の空気調和機を示す斜視図
【図２】本発明の第１実施形態の空気調和機を示す側面断面図
【図３】本発明の第１実施形態の空気調和機のフィルタ清掃時の状態を示す斜視図
【図４】本発明の第１実施形態の空気調和機のフィルタ清掃時の状態を示す側面断面図
【図５】本発明の第１実施形態の空気調和機の通常の運転状態を示す側面断面図
【図６】本発明の第１実施形態の空気調和機の就寝時または不在時の運転状態を示す側面断面図
【図７】本発明の第１実施形態の空気調和機の構成を示すブロック図
【図８】本発明の第１実施形態の空気調和機の動作を示すフローチャート
【図９】本発明の第１実施形態の空気調和機の状態判定の動作を示すフローチャート
【図１０】本発明の第２実施形態の空気調和機の構成を示すブロック図
【図１１】本発明の第３実施形態の空気調和機の構成を示すブロック図
【図１２】本発明の第３実施形態の空気調和機の状態判定の動作を示すフローチャート
【図１３】本発明の第４実施形態の空気調和機の状態判定の動作を示すフローチャート
【図１４】本発明の第５実施形態の空気調和機を示す側面断面図
【図１５】本発明の第５実施形態の空気調和機の就寝時または不在時の運転状態を示す側面断面図
【図１６】本発明の第６実施形態の空気調和機を示す側面断面図
【図１７】本発明の第６実施形態の空気調和機の可動板の支持構造を示す斜視図
【図１８】本発明の第６実施形態の空気調和機の就寝時または不在時の運転状態を示す側面断面図
【図１９】本発明の第７実施形態の空気調和機を示す側面断面図
【図２０】本発明の第７実施形態の空気調和機の就寝時または不在時の運転状態を示す側面断面図
【発明を実施するための形態】
【００２６】
＜第１実施形態＞
以下に図面を参照して本発明の実施形態を説明する。図１、図２は本発明の第１実施形態のセパレート型の空気調和機の斜視図及び側面断面図を示している。空気調和機１は居室内に配される室内機と屋外に配される室外機とを配管及び配線により接続して構成され、冷房や暖房などを行うことができる。室外機には圧縮機３１（図７参照）及び室外ファン３２（図７参照）が設けられる。
【００２７】
空気調和機１の室内機は居室内の上部の壁面に取り付けられる筐体２を備えている。筐体２の前面には吸込口３ａ（前面部）が開口し、上面には吸込口３ｂ（上面部）が開口する。吸込口３ａの前方及び吸込口３ｂの下方には筐体２に係止されるフィルタ７が配される。尚、フィルタ７は吸込口３ａ及び吸込口３ｂに面して一体に形成してもよく、吸込口３ａ及び吸込口３ｂのそれぞれに面して別体に形成してもよい。吸込口３ａの下方にはルーバ８により開閉される吹出口４が開口する。ルーバ８により吹出口４から吹き出される気流の風向が可変される。
【００２８】
筐体２の前面には吸込口３ａに面して前面パネル５が配される。詳細を後述するように、前面パネル５は上端部及び下端部で筐体２に支持され、筐体２の前面を上下から択一的に開閉可能に配される。
【００２９】
筐体２内には吸込口３ａ、３ｂと吹出口４とを連通させる送風通路１０が設けられる。送風通路１０内にはクロスフローファンから成る室内ファン１１（送風機）が配される。室内ファン１１の上流側には圧縮機３１に接続される熱交換器１２が吸込口３ａ及び吸込口３ｂに面して配される。
【００３０】
空気調和機１の運転停止時には前面パネル５及びルーバ８が閉じられる。これにより、筐体２の内部が視認されず、空気調和機１の外観のデザイン性が良好に保持される。
【００３１】
空気調和機１の運転が行われると、圧縮機３１、室外ファン３２及び室内ファン１１が駆動され、前面パネル５及びルーバ８が開かれる。室内ファン１１の駆動により吸込口３ａ及び吸込口３ｂを介して居室内の空気が送風通路１０に流入し、熱交換器１２と熱交換した空気が吹出口４から吹き出される。冷房運転時に熱交換器１２と熱交換した空気は降温され、暖房運転時に熱交換器１２と熱交換した空気は昇温される。これにより、居室内の空気調和が行われる。
【００３２】
次に、前面パネル５を上下の両側から開閉する開閉機構について説明する。前面パネル５の上端にはアーチ状の係合爪５ａが設けられ、下端には半球状の突起部５ｂ（図４参照）が設けられる。筐体２の吸込口３ａよりも下方には前後方向に延びる支持部２ｃが設けられ、支持部２ｃ上には突起部５ｂが嵌合する凹部２ｂが設けられる。突起部５ｂと凹部２ｂとの嵌合により前面パネル５は下端部の突起部５ｂを支点に回動可能に支持される。前面パネル５に凹部２ｂを設けて支持部２ｃに突起部５ｂを設けてもよい。
【００３３】
筐体２の吸込口３ａよりも上方には左右方向の両端部にスリット２ａが設けられる。スリット２ａには下面にラックを形成した可動部材２１が挿通される。筐体２内には可動部材２１の下面に噛合するギヤ２２及び可動部材２１の上面を支持して転動するローラ２４が設けられる。ギヤ２２はモータ２３（図７参照）に連結され、モータ２３の駆動によりギヤ２２が回転すると可動部材２１が前後方向に進退する。
【００３４】
可動部材２１の前端部には軸部２１ａが側方に突出して形成される。係合爪５ａと軸部２１ａとの係合により、前面パネル５は上端部の係合爪５ａ（軸部２１ａ）を支点に回動可能に支持される。前面パネル５に軸部２１ａを設け、可動部材２１に係合爪５ａを設けてもよい。
【００３５】
図３、図４は前面パネル５を下方から開いた状態を示す斜視図及び側面断面図である。前面パネル５の下端部を把持して前方に引くと、前面パネル５は軸部２１ａを支点に回動して手動により下方から開かれる。これにより、フィルタ７を前方から清掃できるとともに、フィルタ７を取り外して清掃することができる。尚、前面パネル５は係合爪５ａを掛止されているだけであるため、略鉛直上方に持ち上げて係合爪５ａと軸部２１ａとの係合を解除して取り外すことができる。
【００３６】
図５は前面パネル５を上方から開いた状態を示す側面断面図である。前面パネル５を閉じた状態で可動部材２１は前述の図２に示す後端位置に配される。前面パネル５を閉じた状態からモータ２３（図７参照）の駆動によりギヤ２２が図中、反時計回りに回転すると、可動部材２１が前方に進出して前面パネル５が開かれる。更にギヤ２２が図中、反時計回りに回転すると、図６に示すように前面パネル５が大きい開度で開かれる。
【００３７】
本実施形態では居室内の人の状態に応じて、前面パネル５が小さい開度（例えば、回動角が１０°〜２０°）で開いた状態と、大きい開度（例えば、回動角が３０゜〜５０゜）で開いた状態とに切り替えられる。
【００３８】
図７は空気調和機１の構成を示すブロック図である。空気調和機１は各部を制御する制御部３０を備えている。制御部３０は計時を行うタイマーを内蔵する。制御部３０には圧縮機３１、室外ファン３２、室内ファン１１、モータ２３、温度センサ３３、照度センサ３４、記憶部３６、通信部３７が接続される。
【００３９】
温度センサ３３は居室内の温度を検知し、温度センサ３３の検知結果に基づいて圧縮機３１、室外ファン３２及び室内ファン１１が駆動される。照度センサ３４は居室内の照度を検知する。記憶部３６がＲＯＭ及びＲＡＭから成り、空気調和機１の動作プログラム及び各センサの検知結果を格納するとともに制御部３０の演算結果を一時記憶する。
【００４０】
通信部３７はリモートコントローラ４１及び予め記憶部３６に登録される携帯端末４２と通信を行う。リモートコントローラ４１は通常、空気調和機１の購入時に同梱されている。通信部３７とリモートコントローラ４１とは赤外線により通信が行われる。通信部３７と携帯端末４２とは無線ＬＡＮによる通信や、無線ＬＡＮ及びインターネット網を介した通信が行われる。尚、携帯端末４２にはＧＰＳが内蔵されている。
【００４１】
空気調和機１には運転停止の時期を予め設定可能な切タイマーが設けられる。切タイマーがオンされると制御部３０のタイマーにより時刻を監視し、設定時刻になると空気調和機１の運転が停止される。
【００４２】
図８は空気調和機１の運転時の動作を示すフローチャートである。冷房運転または暖房運転の運転開始はリモートコントローラ４１または携帯端末４２から指示することができる。運転開始が指示されると、ステップ＃１１で居室内の人の状態を判定する状態判定処理が行われる。尚、ステップ＃１１〜＃１６は所定の判定周期（例えば、５分〜１０分）で繰り返し行われ、居室内の人の状態が該判定周期で監視される。
【００４３】
図９は状態判定処理を示すフローチャートである。ステップ＃２１ではフラグＦを初期化して０を代入する。フラグＦは居室内に存在する人が非就寝の第１状態の場合に０を戻し、居室内に存在する人が就寝または居室内に人が不在の第２状態の場合に１を戻す。
【００４４】
ステップ＃２２では携帯端末４２と通信を行い、携帯端末４２のＧＰＳによる位置情報が取得される。ステップ＃２３では携帯端末４２の位置情報に基づいて、使用者が居室内に存在するか否かが判断される。使用者が居室内に存在しない場合はステップ＃２６に移行する。
【００４５】
使用者が居室内に存在する場合はステップ＃２４に移行し、切タイマーが動作中か否かが判断される。切タイマーが動作中の場合はステップ＃２５に移行する。ステップ＃２５では照度センサ３４の検知により居室内の照度が所定値よりも小さいか否かが判断される。切タイマーが動作中に居室内の照度が所定値よりも小さい場合は、居室内の人の就寝時と判断してステップ＃２６に移行する。
【００４６】
ステップ＃２６では居室内の人が就寝中または居室内に人が不在の第２状態であるため、フラグＦに１が代入され、図８のフローチャートに戻る。
【００４７】
ステップ＃２４、＃２５において、切タイマーが動作中でない場合または切タイマーが動作中で居室内の照度が所定値よりも大きい場合は居室内の人が非就寝の第１状態と判断される。このため、フラグＦが０を保持して図８のフローチャートに戻る。
【００４８】
図８のステップ＃１２ではフラグＦが１か否かが判断される。フラグＦが１の場合はステップ＃１３に移行し、フラグＦが０の場合はステップ＃１５に移行する。ステップ＃１５では第１状態のため前面パネル５が図５に示すように小さい開度で開かれる。これにより、使用者により目視される空気調和機１の美観の低下を防止することができる。前面パネル５が小さい開度で開かれると、ステップ＃１６に移行する。
【００４９】
ステップ＃１３では前回の状態判定処理の結果でフラグＦが１か否かが判断される。前回のフラグＦが０の場合はステップ＃１５に移行し、前面パネル５が図５に示すように小さい開度で開かれる。
【００５０】
前回のフラグＦが１の場合はステップ＃１４に移行し、使用者に目視されない第２状態のため前面パネル５が図６に示すように大きい開度で開かれる。これにより、送風通路１０には上面の吸込口３ｂから吸込気流が流入するとともに筐体２と大きく開いた前面パネル５との隙間から吸込気流が流入する。このため、空気調和機１の吸込面積を第１状態よりも大きくすることができる。従って、室内ファン１１の回転数を低くしても所望の風量を得ることができ、空気調和機１の省電力化及び低騒音化を図ることができる。
【００５１】
この時、状態判定処理でフラグＦが２回以上連続して１になるとステップ＃１３からステップ＃１４に移行する。このため、状態判定処理により第２状態を検知した時に前面パネル５が小さい開度で開かれ、判定周期に一致する所定時間が経過した後に大きい開度で開かれる。これにより、使用者が居室から一時的に退室して直ぐに戻った場合に空気調和機１の美観を損ねることを防止できる。
【００５２】
尚、ステップ＃１３でフラグＦが３回以上の複数回連続して１になった際にステップ＃１４に移行してもよく、タイマーにより計時した所定時間の経過後にステップ＃１４に移行してもよい。
【００５３】
ステップ＃１６では所定の判定周期が経過したか否かが判断される。判定周期が経過していない場合はステップ＃１７に移行し、空気調和機１の運転停止が指示されたか否かが判断される。空気調和機１の運転停止が指示されていない場合はステップ＃１６、＃１７が繰り返され、判定周期が経過するとステップ＃１１〜＃１６が繰り返される。また、空気調和機１の運転停止が指示されると処理を終了する。
【００５４】
本実施形態によると、居室内の人が非就寝の第１状態時に対して就寝または不在の第２状態時にモータ２３（駆動部）の駆動により前面パネル５の開度を大きくする。これにより、使用者により目視されない第２状態で前面パネル５の開度を大きくして吸込面積を大きくし、室内ファン１１の回転数を低くしても所望の風量が得られる。従って、空気調和機１の省電力化及び低騒音化を図ることができる。
【００５５】
また、使用者に目視される第１状態で前面パネル５の開度を小さくして空気調和機１の美観低下を防止することができる。加えて、空気調和機１の外観の変化が小さく、外観が大きく変化することにより使用者が故障と誤認することを防止できる。
【００５６】
また、第１状態の時に前面パネル５が図５に示すように小さい開度で開かれる。このため、下方から見上げる使用者に筐体２の内部を目視されず、空気調和機１の美観を損なわない範囲で吸込面積を大きくできる。
【００５７】
また、第２状態を検知した際に所定の開度で前面パネル５を開き、所定時間経過後に前面パネル５の開度を大きくしている。これにより、使用者が居室から一時的に退室して直ぐに戻った場合に空気調和機１の美観を損ねることを防止できる。
【００５８】
また、前面パネル５がモータ２３の駆動により下端部の突起部５ｂを支点に回動し、手動により上端部の軸部２１ａを支点に回動する。これにより、上方から前面パネル５を開いて第１、第２状態で開度の異なる前面パネル５を容易に実現できるとともに、下方から見上げる空気調和機１の美観が損なわれない。また、下方から前面パネル５を開いてフィルタ７を容易に清掃することができる。
【００５９】
また、運転停止時を設定する切タイマーの動作中に居室内の照度が所定値よりも低くなった際に居室内の人の就寝時と判断するので、第２状態を容易に判別することができる。
【００６０】
また、携帯端末４２の位置情報に基づいて居室内の人の不在を検知するので、第２状態を容易に判別することができる。
【００６１】
本実施形態において、筐体２の上面の吸込口３ｂを省いた空気調和機１であってもよい。
【００６２】
尚、筐体２の下面にルーバにより開閉可能な吸込口を設けてもよい。このような空気調和機において、前面パネル５及び下面に配した吸込口のルーバの開度を第１状態の時に小さくし、第２状態の時に大きくしてもよい。この時、第１状態で前面パネル５及び下面に配した吸込口のルーバを閉じてもよい。
【００６３】
また、第１状態及び第２状態の時に前面パネル５を閉じ、下面に配した吸込口のルーバを第１状態の時に小さい開度で開いて第２状態の時に大きい開度で開いてもよい。
【００６４】
あるいは、前面パネル５が空調運転時に自動で開く機構を有しておらず、筐体２の上面の吸込口３ｂと下面の吸込口とを有する場合、下面に配した吸込口のルーバを第１状態の時に小さい開度で開いて第２状態の時に大きい開度で開いてもよい。あるいは、下面に配した吸込口のルーバを第１状態の時に閉じ、第２状態の時に開いてもよい。
【００６５】
＜第２実施形態＞
次に、図１０は第２実施形態の空気調和機１の構成を示すブロック図である。本実施形態は前述の図１〜図９に示す第１実施形態に対して人感センサ３５が設けられている点が異なる。その他の部分は第１実施形態と同様である。
【００６６】
人感センサ３５は超音波、赤外線、ビデオカメラ等により、居室内の人の有無を検知する。
【００６７】
前述の図９に示す状態判定処理のステップ＃２２において、携帯端末４２（図７参照）の位置情報に替えて人感センサ３５による検知結果が取得される。これにより、居室内に人が不在の第２状態を検知することができる。
【００６８】
本実施形態によると、第１実施形態と同様の効果を得ることができる。また、人感センサ３５の検知結果に基づいて居室内の人の不在を検知するので、第２状態を容易に判別することができる。
【００６９】
＜第３実施形態＞
次に、図１１は第３実施形態の空気調和機１の構成を示すブロック図である。本実施形態は前述の図１〜図９に示す第１実施形態に対して照度センサ３４（図７参照）が省かれ、状態判定処理の動作が異なっている。その他の部分は第１実施形態と同様である。
【００７０】
通信部３７は家屋内の電気使用量を検知する電力検知装置４３と無線ＬＡＮにより通信可能になっている。
【００７１】
図１２は状態判定処理を示すフローチャートである。ステップ＃３１ではフラグＦに０が代入される。ステップ＃３２では電力検知装置４３と通信を行い、家屋内の電気使用量が取得される。
【００７２】
ステップ＃３３では電気使用量が所定値よりも小さいか否かが判断される。使用者の不在時や就寝時には電気使用量が減少するため、電気使用量が所定値よりも低い場合は第２状態と判断することができる。電気使用量が所定値よりも低い場合はステップ＃３４に移行してフラグＦに１が代入され、図８のフローチャートに戻る。電気使用量が所定値よりも高い場合はフラグＦが０を保持して図８のフローチャートに戻る。
【００７３】
本実施形態によると、第１実施形態と同様の効果を得ることができる。また、電力検知装置４３との通信により電気使用量が所定値よりも低くなった際に居室内の人の就寝時または不在時と判断するので、第２状態を容易に判別することができる。
【００７４】
＜第４実施形態＞
次に、第４実施形態について説明する。本実施形態は前述の図１〜図９に示す第１実施形態に対して就寝モードが設けられ、状態判定処理の動作が異なっている。その他の部分は第１実施形態と同様である。
【００７５】
就寝モードは冷房運転時に時間の経過に伴って室内温度を上昇させ、暖房運転時に時間の経過に伴って室内温度を降下させる。これにより、就寝時の冷えすぎまたは暖めすぎを防止して快適性を向上することができる。この就寝モードはリモートコントローラ４１や携帯端末４２から設定することができる。
【００７６】
図１３は状態判定処理を示すフローチャートである。ステップ＃４１ではフラグＦに０が代入される。ステップ＃４２では空気調和機１の運転開始の指示が携帯端末４２（図７参照）から行われたか否かが判断される。就寝モード以外の運転開始の指示が携帯端末４２から行われた場合は居室内に人が不在の第２状態と判断してステップ＃４４に移行する。運転開始の指示がリモートコントローラ４１（図７参照）から行われた場合、あるいは、就寝モードの運転開始の指示が携帯端末４２から行われた場合は、居室内に人が存在すると判断してステップ＃４３に移行する。
【００７７】
ステップ＃４３では就寝モードが動作中か否かが判断される。就寝モードが動作中の場合は使用者の就寝時と判断してステップ＃４４に移行する。ステップ＃４４ではフラグＦに１が代入され、図８のフローチャートに戻る。就寝モードが動作中でない場合は第１状態と判断し、フラグＦが０を保持して図８のフローチャートに戻る。
【００７８】
本実施形態によると、第１実施形態と同様の効果を得ることができる。また、携帯端末４２から就寝モード以外の運転開始の指示があった際に居室内の人の不在時と判断するので、第２状態を容易に判別することができる。
【００７９】
また、就寝モードが動作中の場合に居室内の人の就寝時と判断するので、第２状態を容易に判別することができる。
【００８０】
＜第５実施形態＞
次に、図１４は第５実施形態の空気調和機１の側面断面図を示している。本実施形態は前面パネル５の構造が前述の図１〜図９に示す第１実施形態と異なっている。その他の部分は第１実施形態と同様である。
【００８１】
筐体２の左右方向の両端部には前面の吸込口３ａよりも上方に軸部２ｄが設けられる。前面パネル５の上端部には軸部２ｄに嵌合する軸孔５ｄが設けられる。軸孔５ｄが軸部２ｄに嵌合して前面パネル５が上端部を支点に回動可能に配される。
【００８２】
前面パネル５には連結部材５２の一端が回転可能に連結される。連結部材５２の他端には連結部材５１の一端が回転可能に連結される。連結部材５１の他端はモータ２３（図７参照）のシャフト２３ａに固定される。
【００８３】
前述の図９に示す状態判定処理により第１状態を検知すると、図１４に示すように前面パネル５が閉じられる。これにより、送風通路１０（図２参照）内には筐体２の上面の吸込口３ｂから吸込気流が流入する。
【００８４】
状態判定処理により第２状態を検知すると、モータ２３のシャフト２３ａが矢印Ａ２方向に回転する。これにより、図１５に示すように、前面パネル５が回動して第１状態よりも大きい開度で開かれる。送風通路１０（図２参照）内には筐体２の上面の吸込口３ｂ及び前面の吸込口３ａから吸込気流が流入する。このため、空気調和機１の吸込面積を第１状態よりも大きくすることができる。
【００８５】
空気調和機１の運転が停止されると、モータ２３のシャフト２３ａが矢印Ａ１方向に回転し、前面パネル５が回動して閉じられる。
【００８６】
また、第２状態と同様に前面パネル５を開くことにより、フィルタ７（図２参照）の清掃を行うことができる。
【００８７】
本実施形態によると、第１実施形態と同様の効果を得ることができる。また、筐体の前面及び上面に吸込口３ａ（前面部）及び吸込口３ｂ（上面部）が設けられ、使用者に目視される第１状態で前面パネル５が閉じられる。これにより、第１状態で前面パネル５を閉じても吸込口３ｂから送風通路１０に吸込気流を流入させることができるとともに、空気調和機１の美観が損なわれない。
【００８８】
また、前面パネル５が上端部で回動可能に支持されるので、下方から前面パネル５を開いて第１、第２状態で開度の異なる前面パネル５を容易に実現できる。
【００８９】
尚、本実施形態と同様の構造の前面パネル５を第２〜第４実施形態に設けてもよい。
【００９０】
＜第６実施形態＞
次に、図１６は第６実施形態の空気調和機１の側面断面図を示している。本実施形態は前面パネル５の構造が前述の図１〜図９に示す第１実施形態と異なっている。その他の部分は第１実施形態と同様である。
【００９１】
筐体２の左右方向の両端部には前面の吸込口３ａよりも上方に軸部２ｄが設けられる。前面パネル５の上端部には軸部２ｄに嵌合する軸孔５ｄが設けられる。軸孔５ｄが軸部２ｄに嵌合して前面パネル５が上端部を支点に回動可能に配される。
【００９２】
前面パネル５には左右方向に延びる複数の開口部５ｅ（図１８参照）が開口する。各開口部５ｅにはそれぞれ可動板５５が配される。複数の可動板５５は連結部材５３により連結される。
【００９３】
図１７は可動板５５の支持構造の斜視図を示している。前面パネル５の開口部５ｅの両側壁上部には嵌合孔５ｆが設けられる。連結部材５３は筐体２の両側端部に上下方向に延びて配され、各開口部５ｅ内の下部に突出する複数の突出部５３ａを有している。突出部５３ａには嵌合孔５３ｂが設けられる。
【００９４】
可動板５５の両側端面の上部には軸部５５ａが突設され、軸部５５ａと嵌合孔５ｆとの嵌合により可動板５５の上下方向の一端が軸支される。可動板５５の両側端面の下部には軸部５５ｂが突設され、軸部５５ｂと嵌合孔５３ｂとの嵌合により可動板５５の上下方向の他端が軸支される。これにより、複数の可動板５５及び連結部材５３は平行リンクを構成し、連結部材５３の平行移動によって可動板５５が回動する。
【００９５】
連結部材５３の下端には連結部材５４の一端が回転可能に連結される。連結部材５４の他端はモータ２３（図７参照）のシャフト２３ａに固定される。モータ２３の駆動により連結部材５４が矢印Ｂ１及び矢印Ｂ２方向に回転し、連結部材５３が前後方向に移動する。尚、連結部材５３と連結部材５４とは係合して着脱可能に連結され、前面パネル５と筐体２との隙間を介して連結部材５３と連結部材５４との係合を解除可能になっている。
【００９６】
前述の図９に示す状態判定処理により第１状態を検知すると、図１６に示すように前面パネル５が吸込口３ａに面して配される。また、開口部５ｅが可動板５５により塞がれ、前面パネル５が吸込口３ａの前方を閉じる。これにより、送風通路１０（図２参照）内には筐体２の上面の吸込口３ｂから吸込気流が流入する。
【００９７】
状態判定処理により第２状態を検知すると、モータ２３のシャフト２３ａが矢印Ｂ２方向に回転する。これにより、図１８に示すように、連結部材５３が後方上方に平行移動して可動板５５が後方に回動する。その結果、開口部５ｅが開放され、前面パネル５が第１状態よりも大きい開度で開かれた状態になる。
【００９８】
送風通路１０（図２参照）内には筐体２の上面の吸込口３ｂ及び前面の吸込口３ａから吸込気流が流入する。このため、空気調和機１の吸込面積を第１状態よりも大きくすることができる。
【００９９】
空気調和機１の運転が停止されると、モータ２３のシャフト２３ａが矢印Ｂ１方向に回転して連結部材５３が前方下方に平行移動する。これにより、可動板５５により開口部５ｅを塞いで前面パネル５が閉じられる。
【０１００】
また、連結部材５３と連結部材５４との係合を解除すると、一点鎖線５’（図１６参照）に示すように前面パネル５の全体を手動によって下方から開くことができる。これにより、フィルタ７（図２参照）の清掃を行うことができる。
【０１０１】
本実施形態によると、第１実施形態と同様の効果を得ることができる。また、筐体の前面及び上面に吸込口３ａ（前面部）及び吸込口３ｂ（上面部）が設けられ、使用者に目視される第１状態で前面パネル５が閉じられる。これにより、第１状態で前面パネル５を閉じても吸込口３ｂから送風通路１０に吸込気流を流入させることができるとともに、空気調和機１の美観が損なわれない。
【０１０２】
また、前面パネル５が吸込口３ａに面した開口部５ｅを塞ぐ位置と開放する位置との間を可動の可動板５５を有するので、可動板５５の移動によって第１、第２状態で開度の異なる前面パネル５を容易に実現できる。
【０１０３】
また、複数の可動板５５の一端が開口部５ｅの側壁に軸支され、各可動板５５の他端が連結部材５３に軸支して連結される。これにより、平行リンクが形成され、連結部材５３の前後方向の平行移動により回動する可動板５５を容易に実現することができる。
【０１０４】
尚、本実施形態と同様の構造の前面パネル５を第２〜第４実施形態に設けてもよい。
【０１０５】
＜第７実施形態＞
次に、図１９は第７実施形態の空気調和機１の側面断面図を示している。本実施形態は前面パネル５の構造が前述の図１６〜図１８に示す第６実施形態と異なっている。その他の部分は第６実施形態と同様である。
【０１０６】
軸部２ｄで枢支される前面パネル５の下部には開口部５ｅが開口する。筐体２内にはガイド部材（不図示）により上下方向にスライド可能な可動板５６が筐体２の前面に沿って配される。可動板５６は背面にラックを形成され、可動板５６に噛合するギヤ５７がモータ２３（図７参照）に連結される。モータ２３の駆動によりギヤ５７が回転すると可動板５６が筐体２の前面に沿ってスライドする。
【０１０７】
前述の図９に示す状態判定処理により第１状態を検知すると、図１９に示すように前面パネル５が吸込口３ａに面して配される。また、開口部５ｅが可動板５６により塞がれ、前面パネル５が吸込口３ａの前方を閉じる。これにより、送風通路１０（図２参照）内には筐体２の上面の吸込口３ｂから吸込気流が流入する。
【０１０８】
状態判定処理により第２状態を検知すると、モータ２３が矢印Ｃ２方向に回転する。これにより、図２０に示すように、可動板５６が上昇して開口部５ｅが開放され、前面パネル５が第１状態よりも大きい開度で開かれた状態になる。
【０１０９】
送風通路１０（図２参照）内には筐体２の上面の吸込口３ｂ及び前面の吸込口３ａから吸込気流が流入する。このため、空気調和機１の吸込面積を第１状態よりも大きくすることができる。
【０１１０】
空気調和機１の運転が停止されると、モータ２３が矢印Ｃ１方向に回転して可動板５６が降下し、可動板５６により開口部５ｅを塞いで前面パネル５が閉じられる。
【０１１１】
本実施形態によると、第６実施形態と同様の効果を得ることができる。また、可動板５６が筐体２の前面に沿ってスライドするので、開口部５ｅを塞ぐ位置と開放する位置とを移動する可動板５６を容易に実現することができる。
【０１１２】
尚、本実施形態と同様の構造の前面パネル５を第２〜第４実施形態に設けてもよい。
【０１１３】
以上、本発明の実施形態につき説明したが、本発明の範囲はこれに限定されるものではなく、発明の主旨を逸脱しない範囲で種々の変更を加えて実施することができる。また、本発明の各実施形態のうちいくつかを組み合わせて用いてもよい。
【０１１４】
例えば、フィルタ清掃を自動で行うフィルタ清掃装置を備えた空気調和機に適用可能である。
【０１１５】
また、天井吊り下げ型の空気調和機や天井埋め込み型の空気調和機であってもよい。この時、室内の天井壁に設置される筐体には鉛直下方に面した前面に吸込口が開口し、吸込口の下方に前面パネルが配される。
【０１１６】
また、暖房または冷房を行う空気調和機に限られず、空気清浄機、イオン送出装置、除湿装置、加湿装置などの空気調和機にも適用可能である。これらの場合も上記と同様に、筐体前面に配した前面パネルの開度を可変して空気の吸込み効率を良くすることで、同様の効果を得ることができる。
【０１１７】
尚、空気清浄機においては熱交換器に替えて、脱臭フィルタやＨＥＰＡフィルタなどのフィルタが塵埃除去用のフィルタに加えて設けられる。イオン送出装置においては熱交換器に替えてイオン発生装置が設けられる。除湿装置においては熱交換器によって空気を降温して除湿を行ってもよく、熱交換器に替えて除湿剤を設けてもよい。加湿装置においては熱交換器に替えて給水タンクから給水されるトレイ及びトレイに浸漬される加湿フィルタなどが設けられる。
【産業上の利用可能性】
【０１１８】
本発明によると、筐体の前面に可動の前面パネルを設けた空気調和機に利用することができる。
【符号の説明】
【０１１９】
１      空気調和機
２      筐体
２ｂ    凹部
２ｄ    軸部
３ａ、３ｂ  吸込口
４      吹出口
５      前面パネル
５ａ    係合爪
５ｂ    突起部
５ｄ    軸孔
５ｅ    開口部
５ｆ    嵌合孔
７      フィルタ
８      ルーバ
１０      送風通路
１１      室内ファン
１２      熱交換器
２１      可動部材
２１ａ    軸部
２２      ギヤ
２３      モータ
２３ａ    シャフト
２４      ローラ
３０      制御部
３１      圧縮機
３２      室外ファン
３３      温度センサ
３４      照度センサ
３５      人感センサ
３６      記憶部
３７      通信部
４１      リモートコントローラ
４２      携帯端末
４３      電力検知装置
５１、５２、５３、５４  連結部材
５３ｂ    嵌合孔
５５、５６  可動板
５５ａ、５５ｂ  軸部
５７      ギヤ  
【図１】
2018179417.tif 000003
【図２】
2018179417.tif 000004
【図３】
2018179417.tif 000005
【図４】
2018179417.tif 000006
【図５】
2018179417.tif 000007
【図６】
2018179417.tif 000008
【図７】
2018179417.tif 000009
【図８】
2018179417.tif 000010
【図９】
2018179417.tif 000011
【図１０】
2018179417.tif 000012
【図１１】
2018179417.tif 000013
【図１２】
2018179417.tif 000014
【図１３】
2018179417.tif 000015
【図１４】
2018179417.tif 000016
【図１５】
2018179417.tif 000017
【図１６】
2018179417.tif 000018
【図１７】
2018179417.tif 000019
【図１８】
2018179417.tif 000020
【図１９】
2018179417.tif 000021
【図２０】
2018179417.tif 000022